(57)【要約】【課題】蓋体を大径とし石鹸供給装置の外側を被覆する構造において、蓋体と石鹸タンク側のシャフトとを容易に連結固定することが可能な円筒状クリップの構造を得る。【解決手段】一体的に形成された円筒状クリップ１０であって、クリップ側面に上下両端を繋ぐスリット１１を形成し、クリップ側面の対峙する位置に内側に傾斜する支持片１２をそれぞれ形成し、該支持片の先端を外側に折曲させることで支持片の折曲位置に頂辺部１５を形成して成ることで、円筒状クリップ１０の径より小さい径の円筒部に装着可能とし、各支持片１２間に挿入されたシャフト４２に対して頂辺部１５が溝部４３に嵌合することで固定する。【選択図】      図１
2004150601.tif 000002
【特許請求の範囲】
【請求項１】
一体的に形成された円筒状クリップであって、
クリップ側面に上下両端を繋ぐスリットを形成し、
クリップ側面の対峙する位置に内側に傾斜する支持片をそれぞれ形成し、
該支持片の先端を外側に折曲させることで支持片の折曲位置に頂辺部を形成して成ることを特徴とする円筒状クリップ。
【請求項２】
シャフトを有する部材の上面に被覆するように配置される蓋体の固定構造であって、
蓋体裏面中央に前記シャフトが挿入する孔部を有する樹脂体を装着し、
前記孔部に孔径より大径に形成したクリップ装着部を形成し、
該クリップ装着部に請求項１に記載のクリップを装着し、クリップの頂辺部がシャフト周囲に形成された溝部に嵌合することで蓋体とシャフトが連結することを特徴とする蓋体の固定構造。
【発明の詳細な説明】
【０００１】
【発明の属する技術分野】
本発明は、シャフトを有する部材の上面に被覆するように配置される蓋体を固定するためのクリップの構造、及び、このクリップを使用した蓋体の固定構造に関する。
【０００２】
【従来の技術】
従来、例えば公共施設等の洗面所脇に設置されている押しボタン式の石鹸供給装置は、図４に示すように、液状石鹸が充填された石鹸タンク４１の上方に装着された棒状のシャフト４２に対して石鹸供給部５０を連結している。石鹸供給部５０は、供給部本体５１から立設されて石鹸を供給するためのノズル５２と、シャフト上面を被覆する蓋体５３とを有して構成されている。蓋体５３は供給部本体５１上面に嵌合される樹脂キャップ５４内をスライド移動可能に装着されることで、蓋体５３の裏面に装着された筒状体５５がシャフト４２を押圧し、シャフト４２の下方移動によるポンプ作用で石鹸タンク４１内の液体石鹸をノズル５２内に供給し先端から噴射できるように構成されている。
【０００３】
上述のような構造の石鹸供給装置の場合、石鹸タンク４１は洗面台下方に隠れて装着されるため、石鹸タンク４１内に液状石鹸を供給する場合には、蓋体５３を外してシャフト４２の周囲から補充する構造となっている。
【０００４】
【発明が解決しようとする課題】
しかしながら、上記構造の石鹸供給装置によると、供給部本体５１の樹脂キャップ５４に対して蓋体５３を押圧することにより埋没するように構成されることから、蓋体５３と樹脂キャップ５４の隙間から雑菌が石鹸タンク４１内に浸食する可能性があるという問題点があった。
【０００５】
本発明は上記実情に鑑みてなされたもので、蓋体を大径とし石鹸供給装置の外側を被覆する構造において、蓋体と石鹸タンク側のシャフトとを容易に連結固定することが可能な円筒状クリップの構造及びこのクリップを使用した蓋体の固定構造を提供することを目的としている。
【０００６】
【課題を解決するための手段】
上記目的を達成するため請求項１の発明は、一体的に形成された円筒状クリップ１０であって、クリップ側面に上下両端を繋ぐスリット１１を形成し、クリップ側面の対峙する位置に内側に傾斜する支持片１２をそれぞれ形成し、該支持片１２の先端を外側に折曲させることで支持片１２の折曲位置に頂辺部１５を形成して成ることを特徴としている。
【０００７】
請求項２の発明は、シャフト４２を有する部材の上面に被覆するように配置される蓋体３１の固定構造であって、蓋体３１裏面中央に前記シャフト４２が挿入する孔部３３を有する樹脂体３２を装着し、前記孔部３３に孔径より大径に形成したクリップ装着部３４を形成し、該クリップ装着部３４に請求項１に記載のクリップ１０を装着し、クリップの頂辺部１５がシャフト４２周囲に形成された溝部４３に嵌合することで蓋体３１とシャフト４２が連結することを特徴としている。
【０００８】
本発明によれば、スリット１１を設けたことで、円筒状クリップ１０の径より小さい径の円筒部（クリップ装着部３４）に装着することができ、この状態では径を広げる方向に力が作用しているので、円筒状クリップ１０を円筒部（クリップ装着部３４）に固定することができる。
そして、各支持片１２間にシャフト４２が挿入されることで、各支持片１２がバネ力を有し、頂辺部１５がシャフト４２の溝部４３に嵌合することでシャフト４２と円筒状クリップ１０側とが固定できる。
【０００９】
【発明の実施の形態】
本発明の実施の形態の一例としての円筒状クリップについて、図１及び図２を参照しながら説明する。図１は円筒状クリップの斜視説明図、図２（ａ）（ｂ）（ｃ）（ｄ）はそれぞれ円筒状クリップの平面説明図、Ａ−Ａ線断面説明図、正面説明図、側面説明図である。
【００１０】
円筒状クリップ１０は、プレス加工処理により一体的に形成されるものであって、クリップ側面に上下両端を繋ぐ直線状のスリット１１が形成されている。クリップ側面の互に対峙する位置には、内側に傾斜する支持片１２，１２がそれぞれ形成されている。支持片１２は、クリップ側面に左右線と上部線から成る切欠線１３で囲まれた台形の部位を内側に折曲することで形成されている。
【００１１】
各支持片１２の先端部１４を外側に折曲させることで、支持片１２の折曲位置で内側に凸状となる頂辺部１５が形成されている。
【００１２】
続いて、上記構造の円筒状クリップ１０を使用した蓋体の固定構造について、図３を参照しながら説明する。
図中、シャフト４２は、図４で説明した石鹸供給装置の石鹸タンク４１に連結するもので、このシャフト４２が下方に移動することでポンプ作用が行われる。シャフト４２上部には、シャフト径より小径の環状溝（溝部）４３が形成されている。周囲壁２１は図４の供給部本体５１を構成する壁体である。
【００１３】
蓋体３１は、周囲壁２１全体を被冠するように配置装着されている。すなわち、蓋体３１の壁面が周囲壁２１の外側に配置されるようになっている。蓋体３１の裏面中央には、円筒状の樹脂体３２が固定され、この樹脂体３２にはシャフト４２が挿入される孔部３３が形成されている。樹脂体３２の中央部には、孔部３３の孔径より大径となり円筒状クリップ１０より小径のクリップ装着部３４が形成されている。
【００１４】
樹脂体３２のクリップ装着部３４に、図１及び図２で示した円筒状クリップ１０が装着される。装着に際しては、円筒状クリップ１０を抓むことでスリット１１の間隔を近づけて円筒状クリップ全体の径を小さくし、樹脂体３２の孔部３３を貫挿させてクリップ装着部３４に位置させる。クリップ装着部３４に位置した状態では、バネ作用により径が大きくなり、クリップ装着部３４の内壁に円筒状クリップ１０の外周囲が密着する状態で固定される。
【００１５】
円筒状クリップ１０が装着された状態の蓋体３１を被冠して装着するに際しては、シャフト４２が孔部３３から樹脂体３２内に配置されるように行う。クリップ装着部３４内においては、支持片１２の頂辺部１５がシャフト周囲に形成された環状溝４３に嵌合することで蓋体３１とシャフト４２が連結して固定される。
【００１６】
上述した蓋体３１の固定構造によれば、図３に示されるように、支持片１２の頂辺部１５が環状溝４３に嵌合し、支持片１２の先端部１４は円筒状クリップ１０内でシャフト４２との間に位置しているので、蓋体３１を上方に移動させれば環状溝４３から支持片１２の頂辺部１５が外れ、容易に引き抜くことが可能となるので、蓋体３１の脱着を容易に行うことができる。
また、蓋体３１は、周囲壁２１を被冠するように装着されているので、蓋体３１を被冠した状態では周囲壁２１の内側（石鹸供給装置内）に雑菌が浸食することがない。
【００１７】
【発明の効果】
本発明の円筒状クリップによれば、スリットを設けたことで、円筒状クリップの径より小さい径の円筒部に容易に装着して固定することができる。
そして、各支持片間にシャフトが挿入されることで、各支持片がバネ力を有し、頂辺部がシャフトの溝部に嵌合することでシャフトとクリップ側とを容易に固定することができる。
また、クリップをシャフト挿入と反対側に引き抜くことにより、シャフトとクリップ側との固定状態を容易に解除することができる。
したがって、本発明の円筒状クリップを用いた蓋体の固定構造によれば、蓋体の脱着を簡単な構造で容易に行うことができる。
【図面の簡単な説明】
【図１】本発明の円筒状状クリップの実施の形態の一例を示す斜視説明図である。
【図２】本発明の円筒状クリップの実施の形態を示すもので、（ａ）は円筒状クリップの平面説明図、（ｂ）はＡ−Ａ線矢視断面説明図、（ｃ）は正面説明図、（ｄ）は側面説明図である。
【図３】本発明の円筒状クリップを使用した蓋体の固定構造を示す断面説明図である。
【図４】石鹸供給装置の斜視説明図である。
【符号の説明】
１０…円筒状クリップ、
１１…スリット、  １２…支持片、  １４…先端部、  １５…頂辺部、
２１…周囲壁、  ３１…蓋体、
３２…樹脂体、  ３３…孔部、  ３４…クリップ装着部、
４２…シャフト、  ４３…環状溝（溝部）
【図１】
2004150601.tif 000003
【図２】
2004150601.tif 000004
【図３】
2004150601.tif 000005
【図４】
2004150601.tif 000006